(57)【要約】      （修正有）【課題】洗い作業の際に、食器の量や大きさなどの状況に応じて、容易に高さ調節が可能な、簡単な構造の水はねガードを提供する。【解決手段】基板１１には流し台側面に取り付けた場合に上下方向に延びる貫通溝が設けられ、水受け板１２には孔が設けられ、貫通溝と孔を通して基板１１と水受け板１２をピン１３で連結し、貫通溝がピン１３を上下方向に案内することにより、水受け板１２を上下方向にスライド可能とし、水はねガード１０の高さを水受け板１２のスライド量によって調節できることとした。水受け板１２の少なくとも１つの孔を横長の長孔に形成し、この長孔に対向する基板１１の貫通溝の所定の位置に横に延びる膨出部を設け、ピンを横にスライドさせて膨出部端部に係止することで、水受け板１２を所定の位置に固定できるようにした。水受け板１２の上縁を円弧状にして衣類にひっかかりにくくし、基板１１と水受け板１２を半硬質合成樹脂製として、流し台の形状に応じ適宜湾曲できるようにした。【選択図】図１
0003113857.tif 000002
【実用新案登録請求の範囲】
【請求項１】
ガード板と、ガード板を流し台側面に取り付ける取り付け具とからなる水はねガードにおいて、前記ガード板は、取り付け具が固定された基板と、主に水しぶきを遮る水受け板とからなり、基板には流し台側面に取り付けた場合に上下方向に延びる貫通溝が設けられ、水受け板には孔が設けられ、貫通溝と孔を通して基板と水受け板をピンで連結し、貫通溝がピンを上下方向に案内することにより、水受け板を上下方向にスライド可能に形成したことを特徴とする水はねガード。
【請求項２】
水受け板の孔の少なくとも１つを横長の長孔に形成し、この長孔に対向する基板の貫通溝の所定の位置に横に延びる膨出部を設け、水受け板の長孔と基板の貫通溝の膨出部が合致した際にピンを横にスライドさせて膨出部端部に係止することで水受け板を所定の高さに固定する請求項１に記載の水はねガード。
【請求項３】
水受け板は、上縁が円弧状の略半円形である請求項１または２に記載の水はねガード。
【請求項４】
基板および水受け板は半硬質合成樹脂からなる請求項１から３のいずれかに記載の水はねガード。
【考案の詳細な説明】
【技術分野】
【０００１】
この考案は、流し台に取り付けて、食器等を洗う際の水はねを防止する水はねガードに関する。
【背景技術】
【０００２】
流し台で食器や野菜などの食品を洗う際には、食器等に当たった水が周辺に飛び散るため衣類や床を汚してしまうことがよくある。そのため、洗濯や掃除をしなければならず不便であり、また濡れたまま放置すると雑菌が繁殖して非衛生的であった。
【０００３】
そこで特許文献１に記載のように、ガード板と、ガード板を流し台側面に取り付ける取り付け具とからなる水はねガードが考案されている。このような水はねガードを流し台手前側面に取り付けると、手前側に飛散した水がガード板により遮られ、衣類や床にかかるのを防ぐことができる。
【０００４】
しかしこの場合、ガード板は単一の平板よりなるため、洗い作業の際の水はねガードの高さ調節が不可能であった。そのため、ごく小さな食器を少量洗うなど、あまり水が飛び散らない場合にも、水はねガードが人と流し台の間に不必要に高く岐立しているため邪魔になり不便であった。その一方で水はねガードを取り外すと、少量とはいえ水が周辺に飛び散るため不都合である。
【特許文献１】特開平１１−６１９２４号公報
【考案の開示】
【考案が解決しようとする課題】
【０００５】
そこでこの考案の解決すべき課題は、洗い作業の際に、食器の量や大きさなどの状況に応じて、容易に高さ調節が可能な、簡単な構造の水はねガードを提供することである。
【課題を解決するための手段】
【０００６】
上記した課題を解決するためこの考案は、ガード板と、ガード板を流し台側面に取り付ける取り付け具とからなる水はねガードにおいて、ガード板は、取り付け具が固定された基板と、主に水しぶきを遮る水受け板とから形成し、基板には流し台側面に取り付けた場合に上下方向に延びる貫通溝が設け、水受け板には孔が設け、貫通溝と孔を通して基板と水受け板をピンで連結することで、貫通溝がピンを上下方向に案内する構造とし、水受け板を上下方向にスライド可能としたのである。
【０００７】
水受け板の孔の少なくとも１つを横長の長孔に形成し、この長孔に対向する基板の貫通溝の所定の位置に横に延びる膨出部を設け、水受け板の孔と基板の貫通溝の膨出部が合致した際にピンを横にスライドさせて膨出部端部に係止することで水受け板を所定の高さに固定できるようにすると好ましい。
【０００８】
水受け板を上縁が円弧状の略半円形とし、基板および水受け板を半硬質合成樹脂製とするのがなお好ましい。
【考案の効果】
【０００９】
ガード板を、取り付け具が固定された基板と水受け板とから形成し、基板には流し台側面に取り付けた場合に上下方向に延びる貫通溝を設け、水受け板には孔を設け、貫通溝と孔を通して基板と水受け板をピンで連結し、貫通溝がピンを上下方向に案内することにより、水受け板を上下方向にスライド可能とすることで、水受け板の高さ調節を簡単な構造でかつ低コストで実現することができる。
【００１０】
前記水受け板の孔を横長の長孔に形成し、この長孔に対向する基板の貫通溝の所定の位置に横に延びる膨出部を設け、水受け板の孔と基板の貫通溝の膨出部が合致した際にピンを横にスライドさせて膨出部端部に係止することで、水受け板を所定の位置に固定できるようにすると、誤って手をぶつけるなどしてガード板に衝撃を与えた場合でも、水受け板は固定されているため下方にスライドするなどして高さが変わってしまう心配がない。以上のように、簡単な構造でガード板の高さを確実に所望の高さに維持することができる。
【００１１】
水受け板を上縁が円弧状の略半円形とすると、衣類等が水受け板の角に引っかかることがなく洗い作業を円滑におこなうことができる。また、基板および水受け板を半硬質合成樹脂製とすると流し台側面がカーブしている場合にも、流し台側面の形状に沿って湾曲させ確実にフィットさせることができる。
【考案を実施するための最良の形態】
【００１２】
以下、図面を参照しつつこの考案の実施の形態について説明する。
【００１３】
図１のようにこの考案にかかる水はねガード１０は、基板１１と水受け板１２がピン１３を介して連結されており、基板１１の両端近辺には吸盤１４が固定され、吸盤１４により流し台側面に取り付けられる。流し台への取り付けは吸盤１４によるのが簡易であるがこれに限られず、例えば流し台が磁石を吸着する素材からなる場合には、吸盤１４に替えて磁石を用いてもよい。なおピン１３はある程度の強度を要するため、硬質合成樹脂または金属からなるのが好ましい。
【００１４】
図２（ａ）のように、基板１１は半硬質合成樹脂からなるほぼ方形の板状体であって、上下方向に延びピン１３を案内する貫通溝１１ａが両端近辺と中央の合計３箇所に設けられている。さらに、中央の貫通溝１１ａには、横に向けて鉤型に延びピン１３を係止する膨出部１１ｂが２箇所設けられている。また、両端には吸盤１４の基部をはめ込むための固定孔１１ｃが設けられている。このような基板１１は、半硬質合成樹脂板を打ち抜くことにより容易にまた安価に作製可能である。なお、勿論貫通溝１１ａおよび膨出部１１ｂの数や位置はこの実施形態に限られない。
【００１５】
図２（ｂ）のように、水受け板１２は半硬質合成樹脂からなる上縁が円弧状のほぼ半円形の板状体であって、両端やや下辺には、ピン１３を通す円孔１２ａがそれぞれ２つずつ設けられており、中央やや下辺には、ピン１３を横方向にスライド可能に通す横長の長孔１２ｂが設けられている。なお、水受け板１２の上縁が円弧状なのは、洗い作業をする際に衣類が引っかかるのを防止するためである。このような水受け板１２は半硬質合成樹脂板を打ち抜くことにより容易にまた安価に作製可能である。なお、水受け板１２を基板１１に重ね合わせた際に、基板１１の貫通溝１１ａと位置が合致する範囲で、円孔１２ａおよび長孔１２ｂの数や位置は種々選択可能である。
【００１６】
図３のように、基板１１の貫通溝１１ａと水受け板１２の円孔１２ａおよび長孔１２ｂとを通してピン１３で固定された水はねガード１０においては、貫通溝１１ａがピン１３を上下に案内するため、円孔１２ａを通じてピン１３に一体固定された水受け板１２はピンの動きに連動して、図３（ａ）から(ｂ)を経て(ｃ)へとスライドする。このため図示するように、水はねガード１０の高さが変化することとなり、水作業の状況に応じた高さ調節がこのような簡単な構造で容易に実現可能となる。なお図３（ａ）のように、水受け板１２が基板１１と完全に重なり合う場合であっても、基板１１を流し台の比較的高所に固定した場合には、基板１１に飛散する水を遮る役割を持たせることも可能である。
【００１７】
また、水受け板１２を適宜上下動させていき、ピン１３が長孔１２ｂと膨出部１１ｂとが合致する位置にきたときに、図３(ｂ)、(ｃ)のようにピン１３を横にスライドさせると
、鉤型の膨出部１１ｂの屈曲した端部にピン１３がはまり込むことで、水受け板１２を確実に係止固定させ、簡単な構造で水はねガード１０の高さを確実に所定の高さに維持することができる。
【００１８】
図４のように、食器等を流し台で洗う際には、流し台内側面に吸盤１４によって水はねガード１０を吸着固定させ、食器等の大きさや量に応じて上述した手順で適宜高さを変化させつつ作業を行う。こうすれば手前に飛散してきた水しぶきは、水受け板１２により遮られるため衣類や床が濡れることはない。また、水はねガード１０の高さを洗い作業の邪魔にならない範囲に設定できるため、洗い作業の能率が悪くなることもない。なお図示では、水はねガード１０を流し台のシンク内側面に取り付けているが、流し台の外側面に取り付けても構わないことは無論である。
【００１９】
なお、基板１１および水受け板１２は上述したように半硬質合成樹脂でできているため、例えばシンク側面がカーブしている場合にも、それに沿わせて適宜湾曲させることができ、ぴったりとフィットさせることができる。また水が付着してもすぐに拭き取れ衛生的であるとともに、加工が容易であり、安価でもある。
【図面の簡単な説明】
【００２０】
【図１】水はねガードの斜視図
【図２】（ａ）は基板の平面図、(ｂ)は水受け板の平面図
【図３】（ａ）、(ｂ)、(ｃ)はそれぞれ水はねガードの高さを変化させた状態図
【図４】水はねガードの使用状態図
【符号の説明】
【００２１】
１０  水はねガード
１１  基板
１１ａ  貫通溝
１１ｂ  貫通溝の膨出部
１１ｃ  固定孔
１２  水受け板
１２ａ  円孔
１２ｂ  長孔
１３  ピン
１４  吸盤
【図１】
0003113857.tif 000003
【図２】
0003113857.tif 000004
【図３】
0003113857.tif 000005
【図４】
0003113857.tif 000006